(57)【要約】【課題】  接続されている機器を容易に切り離せるとともに、移動機器を容易に接続できる変圧器の二次側の接続機構を提供する。【解決手段】  変圧器に接続される二次側導体と、配電設備に接続される配電側導体と、変圧器又は配電設備に代わる外部機器接を接続するための機器用導体と、二次側導体、配電側導体、及び機器用導体のうち、いずれか２つの導体を電気的に接続すべく、該２つの導体に着脱自在に接続される接続体とを備える。【選択図】  図２
2013247808.tif 000002
【特許請求の範囲】
【請求項１】
変圧器に接続される二次側導体と、配電設備に接続される配電側導体と、変圧器又は配電設備に代わる外部機器接を接続するための機器用導体と、二次側導体、配電側導体、及び機器用導体のうち接続する導体を切り替えて、いずれか２つの導体を電気的に接続する接続体とを備えることを特徴とする変圧器の二次側の接続機構。
【請求項２】
接続体は、剛体で一体に形成され、１つの導体に接続される長尺状の第１接続部と、他の１つの導体に接続される長尺状の第２接続部とを有し、第１接続部に接続される１つの導体の位置と、第２端部に接続される他の１つの導体との位置とに応じて、複数の異なる形状で交換可能に形成されることを特徴とする請求項１に記載の変圧器の二次側の接続機構。
【請求項３】
接続体は、二次側導体、配電側導体及び機器用導体のうちのいずれか１つの導体に接続される第１接続部と、他の一つの導体に接続される第２接続部と、第１接続部及び第２接続部のそれぞれの接続先の導体を選択可能に、第１接続部に対して第２接続部を可動自在に連結する連結部とを有することを特徴とする請求項１に記載の変圧器の二次側の接続機構。
【請求項４】
二次側導体、配電側導体、及び機器用導体を収容する筒状のダクトをさらに備え、外部機器による外部からの機器用導体へのアクセスを可能とする開口を有することを特徴とする請求項１乃至３のいずれか一項に記載の変圧器の二次側の接続機構。
【発明の詳細な説明】
【技術分野】
【０００１】
本発明は、変圧器の二次側の接続機構に関する。
【背景技術】
【０００２】
従来、変圧器は、一次側（例えば、特別高圧側）と二次側（例えば、高圧側）との間に配設されて、一次側（特別高圧）の交流電力を二次側（高圧）に交換している。そして、変圧器の二次側の接続機構において、変圧器には、導体及び配電用ケーブルを介して、配電箱に収容された配電設備が接続されている。導体は、変圧器に付設されたダクト内に収容される。配電用ケーブルは、ダクト内で導体に接続され、ダクトから地中を通って配電設備に接続される（例えば、特許文献１）。
【先行技術文献】
【特許文献】
【０００３】
【特許文献１】特開２００４−２２１３３３号公報
【発明の概要】
【発明が解決しようとする課題】
【０００４】
ところで、変圧器、配電設備又は配電用ケーブルの点検、交換又は故障が発生した場合には、該当する機器を変圧器の二次側の接続機構から切り離す必要がある。このとき、トラック又はトレーラ等の車両に積載された移動可能な外部機器（移動用機器）が、切り離された機器の代替として変圧器の二次側の接続機構に接続される。
【０００５】
特許文献１のような接続機構では、変圧器から配電設備までの導体及び配線用ケーブルがダクト内又は地中に配設されているので、変圧器の二次側の接続機構から機器を切り離すことは構造上容易ではなかった。また、外部機器から伸びる移動用ケーブルを変圧器の二次側の接続機構に接続する必要があるが、変圧器の二次側の接続機構は、移動用ケーブルを容易に接続可能な構造とはなっていなかった。
【０００６】
本発明は、係る事情に鑑み、接続されている機器を容易に切り離せるとともに、移動機器を容易に接続できる変圧器の二次側の接続機構を提供することを課題とする。
【課題を解決するための手段】
【０００７】
本発明に係る変圧器の二次側の接続機構は、変圧器に接続される二次側導体と、配電設備に接続される配電側導体と、変圧器又は配電設備に代わる外部機器接を接続するための機器用導体と、二次側導体、配電側導体、及び機器用導体のうち接続する導体を切り替えて、いずれか２つの導体を電気的に接続する接続体とを備えることを特徴とする。
【０００８】
かかる構成によれば、通常時（変圧器、配電設備、及び配電用ケーブル全てに異常又は点検等がない場合）、接続体は、二次側導体と配電側導体とに電気的に接続される。これにより、接続体は、変圧器により変圧された電力を、二次側導体から配電側導体に通す。
【０００９】
通常時において、変圧器を変圧器の二次側の接続機構から切り離す場合、接続体は、二次側導体及び配電側導体との接続を解除され、機器用導体及び配電側導体に切り替えて電気的に接続される。機器用導体は、接続体に接続されるとともに、外部機器である移動用変圧器に接続される。これにより、接続体は、移動用変圧器で変圧された電力を機器用導体から配電側導体に通す。したがって、変圧器において故障が発生したときであっても、ルートの切り替えや、事故除去に掛かる時間が短縮され得る。
【００１０】
通常時において、配電設備を変圧器の二次側から切り離す場合、接続体は、二次側導体及び配電設備側導体との接続を解除され、機器用導体及び二次側導体に切り替えて電気的に接続される。機器用導体は、接続体に接続されるとともに、外部機器である移動用配電設備に接続される。これにより、接続体は、変圧器で変圧された電力を、二次側導体から機器用導体に通す。したがって、配電設備において故障が発生したときであっても、ルートの切り替えや、事故除去に掛かる時間が短縮され得る。
【００１１】
また、本発明に係る変圧器の二次側の接続機構において、接続体は、剛体で一体に形成され、１つの導体に接続される長尺状の第１接続部と、他の１つの導体に接続される長尺状の第２接続部とを有し、第１接続部に接続される１つの導体の位置と、第２端部に接続される他の１つの導体との位置とに応じて、複数の異なる形状で交換可能に形成されてもよい。
【００１２】
かかる構成によれば、接続体が剛体で一体に形成され、第１接続部が１つの導体に接続され、第２接続部が他の１つの導体に接続される。これにより、接続体は、１つの導体と、他の１つの導体との接続位置の関係を、接続体の形状に固定することができる。また、接続する導体を切り替えるときには、接続する２つの導体のそれぞれの位置に適する形状の接続体を選択後、現在、導体に接続されている接続対を選択された接続体に交換するだけで接続する導体を切り替えることができる。これにより、機器の切り離し及び接続の作業を容易にすることができる。
【００１３】
また、本発明に係る変圧器の二次側の接続機構において、接続体は、二次側導体、配電側導体及び機器用導体のうちのいずれか１つの導体に接続される第１接続部と、他の一つの導体に接続される第２接続部と、第１接続部及び第２接続部のそれぞれの接続先の導体を選択可能に、第１接続部に対して第２接続部を可動自在に連結する連結部とを有してもよい。
【００１４】
かかる構成によれば、連結部が、一方の接続部に対して他方の接続部を可動させることで、２つの導体を選択的に接続することができる。これにより、１つの接続体を用いて、３つの導体のうちの２つの導体を選択的に接続ことができ、機器の切り離し及び接続の作業を容易にすることができる。
【００１５】
また、本発明に係る変圧器の二次側の接続機構において、二次側導体、配電側導体、及び機器用導体を収容する筒状のダクトをさらに備え、外部機器による外部からの機器用導体へのアクセスを可能とする開口を有してもよい。
【００１６】
かかる構成によれば、外部機器は、ダクトに設けられた開口から、機器用導体の外部機器へ接続部にアクセスすることができるので、接続導体に外部機器を容易に接続することができる。これにより、外部機器を変圧器の二次側の接続機構に接続する時間を短縮することができる。
【発明の効果】
【００１７】
以上の如く、本発明に係る変圧器の二次側の接続機構によれば、接続されている機器を容易に切り離せるとともに、外部機器を容易に接続できるというすぐれた効果を奏する。
【図面の簡単な説明】
【００１８】
【図１】本発明の一実施形態に係る通常時の変電設備の系統概念図を示す。
【図２】同実施形態に係る通常時のダクトの断面図を示し、図２（ａ）は、通常時のダクトの正面断面図を示し、図２（ｂ）は、通常時のダクトの側面断面図を示す。
【図３】同実施形態に係る通常時の接続体の斜視図を示す。
【図４】同実施形態に係る変電器を切り離した系統概念図を示す。
【図５】同実施形態に係る変圧器を切り離したダクトの断面図を示し、図５（ａ）は、変圧器を切り離したダクトの正面断面図を示し、図５（ｂ）は、変圧器を切り離したダクトの側面断面図を示す。
【図６】同実施形態に係る配電設備を切り離した系統概念図を示す。
【図７】同実施形態に係る配電設備を切り離したダクトの断面図を示し、図７（ａ）は、配電設備を切り離したダクトの正面断面図を示し、図７（ｂ）は、配電設備を切り離したダクトの側面断面図を示す。
【図８】同実施形態に係る、接続体の変形例の斜視図を示す。
【発明を実施するための形態】
【００１９】
以下、本発明に係る変圧器の二次側の接続機構における一実施形態について、図１〜図８を参照して説明する。
【００２０】
まず、本実施形態に係る変圧器の二次側の接続機構の各構成を説明するのに先立って、変圧器の系統に係る全体構成について説明する。
【００２１】
図１に示すように、変圧器３の一次側（特別高圧側）には、変圧器３の一次側遮断器（副遮断器）２が接続される。そして、一次側遮断器２の一次側には、受電遮断器（主遮断器）１が接続される。
【００２２】
変圧器３の二次側（高圧側）には、本発明に係る変圧器３の二次側の接続機構が設けられる。変圧器３の二次側の接続機構には、配電用ケーブル７を通って配電設備８が接続される。配電用ケーブル７は、変圧器３の二次側の接続機構から、地中を介して配電設備８に接続される。配電設備８は、例えばスイッチギヤであり、遮断器や保護継電器等の機器を内部に納めたキュービクルである。このような接続機構において、本実施形態に係る変圧器３の二次側の接続機構は、さらに、移動用変圧器や移動用配電設備等の外部機器と変圧器３又は配電設備８との間を接続可能な構成を有する。
【００２３】
図２（ａ）及び図２（ｂ）に示すように、変圧器３の二次側の接続機構は、変圧器３の二次側に接続される二次側導体４と、配電設備８に接続される配電側導体６と、移動用変圧器３０や移動用配電設備４０等の外部機器を接続すべく設けられる機器用導体９と、二次側導体４、配電側導体６、及び外部機器接続用導体９のうち、いずれか２つの導体を電気的に接続する接続体５と、二次側導体４、配電側導体６、機器用導体９、及び接続体５を収容するダクト１０とを備える。
【００２４】
二次側導体４は、例えば、金属板や変圧器３から引き出されたリード線で長尺状に形成される。二次側導体４は、三相交流の一相ずつ、３つ並列して設けられる。そして、二次側導体４のそれぞれは、一端を変圧器３に接続され、他端を一端から水平方向に延出した位置に配置される。二次側導体４の他端のそれぞれは、接続体５に連結可能な位置に配置される。また、二次側導体４の他端のそれぞれは、接続体５に連結可能な構成、例えば、締結用の孔部（図示しない）を有する。
【００２５】
配電側導体６は、例えば、金属板で長尺状に形成される。配電側導体６は、３つの二次側導体４のそれぞれに対応して３つ設けられる。そして、配電側導体６のそれぞれは、一端を接続体５に連結可能な位置に配置され、他端を一端から垂下した位置に配置される。また、配電側導体６の一端のそれぞれは、接続体５に連結可能な構成、例えば、ボルト及びナットを用いた締結用の孔部（図示しない）を有する。
【００２６】
機器用導体９は、例えば、金属板で屈曲して形成される。機器用導体９は、３つの二次側導体４及び３つの配電側導体６に対応して３つ設けられる。そして、機器用導体９のそれぞれは、一端を接続体５に連結可能な位置に配置され、二次側導体４の延出方向と同方向に延出した位置で屈曲されて、他端を屈曲位置から垂下した位置に配置される。また、機器用導体９の一端のそれぞれは、接続体５に連結可能な構成、例えば、ボルト及びナットを用いた締結用の孔部（図示しない）を有する。
【００２７】
図３に示すように、接続体５は、剛体で一体に形成され、例えば、導体である金属板で形成される。接続体５は、三相交流の一相毎に１つずつ設けられ、一組の二次側導体４、配電側導体６、及び機器用導体９毎に３つ設けられる。接続体５は、３つの導体のうちの１つに接続される長尺状の第１接続部５３と、他の２つの導体のうちの１つの導体に接続される長尺状の第２接続部５４とを有する。接続体５は、第１接続部５３の一端で１つの導体に接続され、第２接続部５４の一端で他の１つの導体に接続される。そして、接続体５は、第１接続部５３の他端と第２接続部５４の他端とで連結されて一体に形成される。接続体５は、第１接続部５３の一端と第２接続部５４の一端とに接続される２つの導体のそれぞれの配置位置に基づいて、複数の異なる形状で形成される。
【００２８】
例えば、第１接続部５３の一端が二次側導体４に接続され、第２接続部５４の一端が配電側導体６に接続される場合、接続体５は、第１接続部５３の長手方向と第２接続部５４の長手方向とをそれぞれの他端で直角に接続するＬ字状に形成される。また、第１接続部５３が二次側導体４に接続され、第２接続部５４が機器用導体９に接続される場合、接続体５は、第１接続部５３の長手方向と第２接続部５４の長手方向とをそれぞれの他端において同方向に接続するＩ字状に形成される。なお、接続体５は、二次側導体４、配電側導体６及び機器用導体９の配置位置に応じて、種々の形状とすることが可能である。
【００２９】
第１接続部５３は、その一端で、１つの導体に締結手段５１を用いて締結されることで接続される。第２接続部５４は、その一端で、他の１つの導体に締結手段５２を用いて締結されることで接続される。これにより、接続体５は、ダクト１０からの距離を十分に確保した状態で２つの導体に接続される。また、接続体５は、２つの導体の位置を変更することなく、２つの導体を接続することができる。すなわち、接続体５は、２つの導体をダクト１０内で動かす必要なく２つの導体を接続できるので、２つの導体とダクト１０との間の絶縁距離を十分に確保することができる。
【００３０】
本実施形態において、接続体５は、Ｌ字状に形成され、二次側導体４と配電側導体６とを接続する。第１接続部５３は、二次側導体４の他端に接続され、第２接続部５４は、配電側導体６の一端に接続される。
【００３１】
ダクト１０は、筒状に形成され、二次側導体４、配電側導体６、及び機器用導体９を収容可能に構成される。ダクト１０は、変圧器３の二次側から水平方向に延出する二次側導体収容部１１と、二次側導体収容部１１に接続されて、接続体５の位置から垂下する配電側導体収容部１２と、二次側導体収容部１１の延出方向に接続される機器用導体収容部１３と、各導体の絶縁を確保する絶縁碍子１４とを有する。
【００３２】
二次側導体収容部１１は、内部に二次側導体４を収容する。二次側導体収容部１１は、例えば、角筒状に形成される。二次側導体収容部１１は、その長手方向と二次側導体４の長手方向とを揃えて二次側導体４を収容する。また、二次側導体収容部１１は、延出方向の端部において、接続体５を収容する。より好ましくは、二次側導体収容部１１は、接続体５を収容する位置の一部に、接続体５を交換する際に開放可能な窓部（図示しない）を有する。そして、二次側導体収容部１１は、配電側導体収容部１２及び機器用導体収容部１３との接続位置で、各収容部に連通する。
【００３３】
配電側導体収容部１２は、内部に配電側導体６を収容する。配電側導体収容部１２は、例えば、角筒状に形成され、その延出方向と配電側導体６の延出方向とを揃えて配電側導体６を収容する。また、配電側導体収容部１２は、二次側導体収容部１１に接続される端部の反対の端部で地面に設けられた穴（図示しない）に接続される。配電側導体収容部１２は、穴内に通されている配電用ケーブル７の配電側導体６への接続部分についても収容する。
【００３４】
機器用導体収容部１３は、内部に機器用導体９を収容する。機器用導体収容部１３は、例えば角筒状に形成され、二次側導体収容部１１との接続位置及び地面と対向する面に開口１５を有する。機器用導体収容部１３は、機器用導体９の一方の端部を接続体５に接続する位置に収容し、機器用導体９の他方の端部を地面と対向する面の開口１５からアクセス可能な位置に収容する。
【００３５】
絶縁碍子１４は、二次側導体収容部１１、配電側導体収容部１２、及び機器用導体収容部１３のそれぞれと、二次側導体４、配電側導体６、及び機器用導体９との間の絶縁を確保すべく設けられる。絶縁碍子１４は、ダクト１０内に複数設けられ、ダクト１０の内面に係止される。また、絶縁碍子１４のそれぞれは、二次側導体４、配電側導体６、及び機器用導体９のいずれかの導体をダクト１０との絶縁を確保した状態で係止する。例えば、絶縁碍子１４Ａ，１４Ａ・・・は、二次側導体４を二次側導体収容部１１との絶縁を確保した状態で掛止する。絶縁碍子１４Ｂは、配電側導体６を配電側導体収容部１２との絶縁を確保した状態で係止する。絶縁碍子１４Ｃは、機器用導体９を機器用導体収容部１３との絶縁を確保した状態で係止する。
【００３６】
図４に示すように、変圧器３における事故の発生、又は点検等により変圧器３を系統から切り離す場合、移動用変圧器３０が一次側遮断器２と配電設備８との間に接続される。具体的に、移動用変圧器３０は、一次側移動用ケーブル３１により一次側遮断器２と接続され、二次側移動用ケーブル３２により機器用導体９と接続される。そして、接続体５は、配電側導体６と機器用導体９とに接続される。
【００３７】
図５（ａ）及び図５（ｂ）に示すように、接続体５には、Ｌ字状のものが用いられる。そして、第１接続部５３は、機器用導体９に接続される。また、第２接続部５４は、配電側導体６に接続される。これにより、接続体５は、配電側導体６と機器用導体９との間を接続する。
【００３８】
二次側移動用ケーブル３２は、機器用導体収容部１３の開口から機器用導体９に接続される。これにより、変圧器３が系統から切り離され、移動用変圧器３０が、変圧器３の機能を代替する。
【００３９】
図６に示すように、配電設備８における事故の発生、又は点検等により配電設備８を系統から切り離す場合や、配電用ケーブル７の断線等の場合、移動用配電設備４０が変圧器３に接続される。具体的に、移動用配電設備４０は、一次側移動用ケーブル４１により機器用導体９に接続される。そして、接続体５は、二次側導体４と機器用導体９とに接続される。なお、配電用ケーブル７が断線している場合には、図６において点線で示すように、配電設備８と機器用導体９とをケーブルで接続してもよい。
【００４０】
図７（ａ）及び図７（ｂ）に示すように、接続体５には、Ｉ字状のものが用いられる。そして、第１接続部５３は、二次側導体４に接続される。また、第２接続部５４は、機器用導体９に接続される。これにより、接続体５は、二次側導体４と機器用導体９との間を接続する。
【００４１】
一次側移動用ケーブル４１は、機器用導体収容部１３の開口から機器用導体９に接続される。これにより、配電設備８及び配電用ケーブル７が系統から切り離され、移動用配電設備４０が、配電設備８の機能を代替する。
【００４２】
本実施形態に係る変圧器３の二次側の接続機構の構成については以上の通りであり、次に、本実施形態に係る変圧器３の二次側の接続機構の作用について説明する。
【００４３】
通常、図１に示すように、変圧器３の二次側の接続機構が、変圧器３と配電設備８との間を接続している。このとき、第１接続部５３は、図２（ａ）及び図２（ｂ）に示すように、締結手段５１を用いて二次側導体４に接続される。第２接続部５４は、締結手段５２を用いて配電側導体６に接続される。これにより、接続体５は、二次側導体４及び配電側導体６の間を電気的に接続する。したがって、変圧器３によって交換された交流電力は、配電設備８に配電される。
【００４４】
変圧器３の事故や、点検等により、変圧器３を系統から切り離す場合、図４、図５（ａ）及び図５（ｂ）に示すように、変圧器３に代わり、移動用変圧器３０が変圧器３の二次側の接続機構に接続される。接続体５は、通常時と同様の形状で接続先を変更して用いられる。より詳しくは、Ｌ字状の接続体５は、二次側導体４及び配電側導体６との連結から解放される。第１接続部５３は、二次側導体４との連結から解放されて、機器用導体９に接続される。第２接続部５４は、再度、配電側導体６に連結される。これにより、接続体５は、機器用導体９と配電側導体６との間を接続する。
【００４５】
また、機器用導体９の接続端部には、ダクト１０の開口からアクセスされた二次側移動用ケーブル３２が接続される。二次側移動用ケーブル３２は、移動用変圧器３０に接続され、一次側移動用ケーブル３１は、一次側遮断器２に接続される。これにより、移動用変圧器３０によって交換された交流電力は、配電設備８に配電される。
【００４６】
一方、配電設備８の事故又は点検や、配電用ケーブル７の断線により配電設備８及び配電用ケーブル７を切り離す場合、図６、図７（ａ）及び（ｂ）に示すように、配電設備８に代わり、移動用配電設備４０が変圧器３の二次側の接続機構に接続される。Ｌ字状の接続体５が二次側導体４及び配電側導体６の連結から開放され、板状の接続体５が用いられる。第１接続部５３は、二次側導体４に接続され、第２接続部５４は、機器用導体９に接続される。これにより、接続体５は、二次側導体４と機器用導体９との間を接続する。
【００４７】
また、機器用導体９の接続端部には、ダクト１０の開口からアクセスされた一次側移動用ケーブル４１が接続される。一次側移動用ケーブル４１は、移動用配電設備４０に接続される。これにより、変圧器３によって交換された交流電力は、移動用配電設備４０に配電される。
【００４８】
以上より、本実施形態に係る変圧器３の二次側の接続機構は、変圧器３に接続される二次側導体４と、配電設備８に接続される配電側導体６と、変圧器３又は配電設備８に代わる外部機器を接続するための機器用導体９と、二次側導体４、配電側導体６、及び機器用導体９のうち接続する導体を切り替えて、いずれか２つの導体を電気的に接続する結合部５とを備える。そのため、接続体５の交換又は位置の変更をするだけで、変圧器３、配電用ケーブル７、又は配電設備８を系統から切り離すことができるとともに、接続に利用する導体同士を容易に接続することができる。また、機器用導体９の接続側端部が、ダクト１０に設けられた開口からアクセス可能な位置に設けられるので、移動用変圧器３０及び移動用配電設備４０等の外部機器を容易に接続することができる。したがって、機器の切離しから、移動用機器の接続、系統の復帰までを短時間の作業ですることができる。
【００４９】
また、切り離すべき機器のみを切り離すことができ、他の機器についてはそのまま利用することができるので、最小限の復旧機器のみで復旧することができ、復旧までのコストを低減することができる。
【００５０】
また、本実施形態に係る変圧器３の二次側の接続機構は、機器用導体収容部１３が、外部機器を機器用導体９に接続するための開口１５を備えている。これにより、外部機器は、開口１５を用いて、機器用導体９にアクセスすることが容易になる。すなわち、外部機器は、開口１５を用いて機器用導体９に容易に接続される。したがって、復旧までの時間をより短縮できるとともに、復旧までのコストをより低減することができる。
【００５１】
なお、本発明に係る変圧器３の二次側の接続機構は、上記した実施の形態に限定されるものではなく、本発明の要旨を逸脱しない範囲内において種々変更を加え得ることは勿論である。また、下記する各種の変更例に係る構成や方法等を任意に選択して、上記した実施形態に係る構成や方法等に採用してもよいことは勿論である。
【００５２】
例えば、本実施形態に係る変圧器３の二次側の接続機構おいて、図８に示すように、接続体５は、第１接続部５３と第２接続部５４とを別体として、第１接続部５３及び第２接続部５４の他端部を互いに回動自在に連結する連結部５５を有してもよい。第１接続部５３が１つの導体に接続されている状態で、第２接続部５４が連結部５５を中心に回動されて、他の１つの導体に接続される。これにより、１つの接続体５で２つの導体を接続することができ、よりコストを低減することができる。
【００５３】
また、上記実施形態に係る変圧器３の二次側の接続機構において、締結手段５１，５２は、ボルト及びナットの組み合わせや、皿ネジの他、接続体５と、二次側導体４、配電側導体６又は機器用導体９とを互いに固定する構成であれば、どのような構成であってもよい。より詳しくは、締結手段５１，５２は、接続体５と、二次側導体４、配電側導体６又は機器用導体９とを締結することにより、締結された導体のダクト１０内での位置を規定して、締結された導体の絶縁を確保可能な構成であれば、どのような構成であってもよい。
【００５４】
また、本実施形態に係る変圧器３の二次側の接続機構において、機器用導体収容部１３は、二次側導体収容部１１の延出方向に設けられるとしたが、二次側導体収容部１１の上面など、二次側移動用ケーブル３２又は一次側移動用ケーブル４１を容易に接続可能な位置であればどのような位置に設けられていてもよい。また、機器用導体収容部１３の外部への開口１５には、機器用導体９の接続側端部に二次側移動用ケーブル３２又は一次側移動用ケーブル４１を接続する際に解放可能な窓部（図示しない）を設けてもよい。
【符号の説明】
【００５５】
１    受電遮断器
２    一次側遮断器
３    変圧器
４    二次側導体
５    接続体
６    配電側導体
７    配電用ケーブル
８    配電設備
９    機器用導体
１０  ダクト
１１  二次側導体収容部
１２  配電側導体収容部
１３  機器用導体収容部
１４  絶縁碍子
１５  開口
３０  移動用変圧器
３１  一次側移動用ケーブル
３２  二次側移動用ケーブル
４０  移動用配電設備
４１  一次側移動用ケーブル
５１，５２  締結手段
５３  第１接続部
５４  第２接続部
５５  連結部
【図１】
2013247808.tif 000003
【図２】
2013247808.tif 000004
【図３】
2013247808.tif 000005
【図４】
2013247808.tif 000006
【図５】
2013247808.tif 000007
【図６】
2013247808.tif 000008
【図７】
2013247808.tif 000009
【図８】
2013247808.tif 000010